(57)【要約】【課題】入力軸からの回転を出力軸に伝達し、逆方向の回転伝達を阻止する逆入力遮断クラッチを、球形状の転動体を利用して、小型で簡潔な構造のものとする。【解決手段】外輪２の内部空間に、入力軸４に固着した複数の入力突出部２０を配置すると共に、出力軸６に固着した複数の出力突出部３８を、入力突出部２０の間に入り込むように組み合わせて設置する。出力突出部３８と外輪２の内周面の間には球形状の転動体７を設置して、出力軸６が回転したときは、転動体７が外輪２の内周面と噛み合って出力軸６の回転が阻止される。転動体７は、外輪２の内周面に形成された断面円弧状の環状溝１０の嵌め込まれているため、外輪２の外径を縮小することが可能で、また、転動体７が球形状であっても、外輪２との噛み合い及びその解除が確実に行われるようになる。【選択図】図１
2019065943.tif 000002
【特許請求の範囲】
【請求項１】
固定された筒状の外輪と、前記外輪内で共通の回転軸を中心として回転可能な入力軸及び出力軸を備え、前記入力軸からの正・逆方向の回転は前記出力軸に伝達されると共に、前記出力軸からの前記入力軸への回転の伝達は、前記出力軸を回転不能として遮断される逆入力遮断クラッチであって、
前記外輪の内側には、前記入力軸に設けられた入力突出部と、前記出力軸に設けられた出力突出部とが配置され、前記入力突出部の周方向両側には押圧面が形成されると共に、前記出力突出部には前記外輪の内周面と対向する凹状のカム面が形成され、さらに、
前記カム面と前記外輪の内周面との間には、球形状の転動体が設置されると共に、前記外輪の内周面には、前記転動体が嵌り込んで周方向に移動可能な円弧状断面の環状溝が形成されており、
前記入力軸が回転すると、前記押圧面の一方が前記出力突出部と共に前記転動体を押圧して前記出力軸を回転させる一方、前記出力軸が回転しようとしても、前記転動体が前記外輪の内周面と前記カム面との間で噛み込んで回転することができない、ことを特徴とする逆入力遮断クラッチ。
【請求項２】
前記環状溝の深さが前記転動体の直径の６乃至２１％である、請求項１記載の逆入力遮断クラッチ。
【請求項３】
前記外輪の内側には、前記入力突出部が固着される入力円板部材と前記出力突出部が固着される出力円板部材とが設けられ、かつ、前記入力円板部材と前記出力円板部材とは軸方向に対向して位置し、前記転動体を挟持している、請求項１又は２に記載の逆入力遮断クラッチ。
【請求項４】
前記入力軸及び前記出力軸には、軸方向に延びる同一円形断面の中央穴が形成され、それぞれの前記中央穴には、共通の芯部材が挿通されている、請求項１乃至３のいずれかに記載の逆入力遮断クラッチ。
【請求項５】
前記外輪の内側には潤滑剤が充填される、請求項１乃至４のいずれかに記載の逆入力遮断クラッチ。
【発明の詳細な説明】
【技術分野】
【０００１】
本発明は、入力軸と出力軸との間の動力伝達を断・接するクラッチ装置、特に、転動体の噛み込み作動を利用して、入力軸（駆動側）からの正・逆回転を出力軸（従動側）に伝達するとともに、出力軸からの動力伝達は、出力軸を回転不能として遮断する逆入力遮断クラッチに関する。
【背景技術】
【０００２】
モーターなどの駆動源から作業機器等を駆動する動力伝達系、例えば、モーターにより物品を上下に移送する昇降装置では、物品が所定の位置に達したとき、モーターを停止すると物品が自動的にその位置を保持する作動が求められる場合がある。そのため、入力軸と出力軸を備えた逆入力遮断クラッチを用いて、入力軸を正・逆回転可能なモーターに連結するとともに、出力軸の回転により物品を昇降させる装置が知られている。逆入力遮断クラッチは、ロックタイプ双方向クラッチとも呼ばれ、入力軸の回転は出力軸へ伝達されるが、出力軸から入力軸を回転させようとしても、出力軸がロックして回転せず、従って出力軸の回転は入力軸へ伝達されずに遮断されるものである。
【０００３】
このような逆入力遮断クラッチとして、例えば、本出願人の創案に係る特許文献１に記載された、ローラの噛み込み及び噛み込み解除を利用する装置があり、これについて、図８及び図９を参照して説明する。図８（ａ）は、逆入力遮断クラッチの全体的な構造を示す断面図、図８（ｂ）（ｃ）は、それぞれ入力軸及び出力軸の斜視図、また、図９は、逆入力遮断クラッチの作動を説明するため、図８（ａ）のＡ−Ａ断面の一部を拡大して表示する作動説明図である。
【０００４】
図８（ａ）に示すように、この逆入力遮断クラッチは、固定された外輪（ハウジング）Ｇと、共通の回転軸を中心として回転可能な入力軸ＩＳ及び出力軸ＯＳとを備えている。図８（ｂ）に示すとおり、入力軸ＩＳには円板部ＩＤが設けられるとともに、そこから軸方向に延びる複数の入力突出部ＩＴが形成され、入力突出部ＩＴは、周方向に等間隔で配置されている。出力軸ＯＳには、図８（ｃ）に示すとおり、径方向に延びる複数の出力突出部ＯＴが形成されており、各々の出力突出部ＯＴは、入力軸ＩＳの隣り合う入力突出部ＩＴの間に入り込むよう組み合わされて（図９も参照）、外輪Ｇの内部空間に設置される。その内部空間には、グリース等の粘着性を有する潤滑剤が封入される。
出力突出部ＯＴの径方向外方の面は、外輪Ｇの内周面と対向する凹状のカム面ＣＳとなっている。そして、外輪Ｇの内周面と出力突出部ＯＴのカム面ＣＳとの間には、円筒形状のローラである転動体Ｒが設置されている。
【０００５】
図８の逆入力遮断クラッチにおいて、入力軸ＩＳにも出力軸ＯＳにもトルクが作用しない静止状態にあるときは、図９（ａ）に示すとおり、転動体Ｒは、出力突出部ＯＴの凹状のカム面ＣＳの中央に位置しており、転動体Ｒと外輪Ｇの内周面ＧＳとの間にはわずかな間隙が存在する。また、出力突出部ＯＴの周方向側面と入力突出部ＩＴの周方向側面（押圧面）との間には所定の間隙が設定されている。
入力軸ＩＳが反時計方向に回転して入力突出部ＩＴが反時計方向に移動すると、図９（ｂ）に示すとおり、入力突出部ＩＴの左側押圧面の下方（径方向内方）部が、出力突出部ＯＴの右側面に当接し出力突出部ＯＴを反時計方向に押圧する。このときは、入力突出部ＩＴの左側押圧面の上方（径方向外方）部が転動体Ｒの移動を規制するので、転動体Ｒは、凹状のカム面ＣＳのほぼ中央の位置に止まって外輪Ｇの内周面ＧＳと接触することはない。そのため、入力突出部ＩＴは、転動体Ｒと共に出力突出部ＯＴを反時計方向に回転させ、出力軸ＯＳを反時計方向に回転させることとなる。入力軸ＩＳが反時計方向に回転した場合は、入力突出部ＩＴの右側押圧面が出力突出部ＯＴの左側面に当接し、同様に出力軸ＯＳを時計方向に回転させる。
【０００６】
これに対し、出力軸ＯＳが反時計方向に回転したときは、図９（ｃ）に示すとおり、出力突出部ＯＴが反時計方向に移動するので、転動体Ｒが、カム面ＣＳの右側斜面により図の矢印のように押し上げられ、外輪Ｇの内周面ＧＳと強く当接して噛み込みを生じる。そのため、出力軸ＯＳはロック状態となってその回転が阻止され、入力軸ＩＳを回転させることはない。出力軸ＯＳの時計方向の回転についても同様である。
ところで、出力軸ＯＳのロック状態は、転動体Ｒが出力突出部ＯＴに対し相対的に移動することにより生じるものであり、何らかの原因で転動体Ｒと出力突出部ＯＴとが膠着し転動体Ｒがカム面ＣＳの中央に止まったままとなると、転動体Ｒの噛み込みは起こらず、出力軸ＯＳの回転が入力軸ＩＳに伝達されてしまう。
この不具合を防止するため、図８（ａ）の逆入力遮断クラッチでは、転動体Ｒを軸方向に押圧して軽い制動力を付与するばね部材ＳＰを設置している。ばね部材ＳＰは、ウエーブワッシャと平ワッシャとを組み合わせたものであり、転動体Ｒが出力突出部ＯＴと一体的に移動しないように制動して、噛み込みとその解除との切り換えを確実に行わせるようにしている。
【０００７】
逆入力遮断クラッチは、事務用機器の動力伝達部品、例えば、複写機のフィニッシャーにおいて、複写済みの用紙を載せた用紙テーブルを上下させる昇降装置、あるいは、建築物の窓のブラインドを昇降する昇降装置に適用することができる。これを利用すると、簡易な装置による自動的な動力伝達の制御が可能となって、例えば電磁クラッチにより制御する場合のような、電力等の使用が不必要となるとともに、出力軸側から不測の逆入力があった場合に、駆動源のモーターを保護することも可能となる。
【先行技術文献】
【特許文献】
【０００８】
【特許文献１】特許第６１３０５８７号公報
【発明の概要】
【発明が解決しようとする課題】
【０００９】
逆入力遮断クラッチには種々の用途があるが、事務用機器などに使用する場合には、被駆動側の装置に作用する負荷トルクが小さく駆動用モーターの出力も小さい動力伝達装置に用いられることが多い。このような用途にあっては、逆入力遮断クラッチをなるべく小型化し、コンパクトで省スペースな構造とする要請が強い。
【００１０】
転動体の噛み込み作動を利用する逆入力遮断クラッチを小型化する一手段として、図８のような軸方向の長い円筒状の転動体（ローラ）に代えて、球形状の転動体（ボール）を設置することが考えられる。しかし、球形状の転動体が対向する外輪の内周面と接触するときは、理論上、線ではなく１点のみで接触する。そのため、固定された外輪の内周面と転動体との接触面積が非常に小さくなり、その間に働く摩擦力あるいは潤滑剤による粘着力も小さな値となって、転動体が出力突出部と一体的に移動する不具合が生じやすい。これを防ぐために転動体に制動力を付与するばね部材を設置することはできるが、逆入力遮断クラッチが小型のものであると、複雑な形の極めて小さなばね部材を製造しこれを内部に組み込むのは困難な作業となる。
本発明の課題は、動力伝達系に介在される逆入力遮断クラッチを、小型でコンパクトな構造として製造作業を容易化し、さらに、回転を伝達する際の振動等を防止して円滑な動力伝達を可能なものとすることにある。
【課題を解決するための手段】
【００１１】
上述の課題に鑑み、本発明は、逆入力遮断クラッチの転動体として球形状の転動体を用い、これに対向する外輪の内周面には転動体が嵌り込む凹状の環状溝を形成し、逆入力遮断クラッチを小型化しても安定した作動が可能となるようにしたものである。すなわち、本発明は、
「固定された筒状の外輪と、前記外輪内で共通の回転軸を中心として回転可能な入力軸及び出力軸を備え、前記入力軸からの正・逆方向の回転は前記出力軸に伝達されると共に、前記出力軸からの前記入力軸への回転の伝達は、前記出力軸を回転不能として遮断される逆入力遮断クラッチであって、
前記外輪の内側には、前記入力軸に設けられた入力突出部と、前記出力軸に設けられた出力突出部とが配置され、前記入力突出部の周方向両側には押圧面が形成されると共に、前記出力突出部には前記外輪の内周面と対向する凹状のカム面が形成され、さらに、
前記カム面と前記外輪の内周面との間には、球形状の転動体が設置されると共に、前記外輪の内周面には、前記転動体が嵌り込んで周方向に移動可能な円弧状断面の環状溝が形成されており、
前記入力軸が回転すると、前記押圧面の一方が前記出力突出部と共に前記転動体を押圧して前記出力軸を回転させる一方、前記出力軸が回転しようとしても、前記転動体が前記外輪の内周面と前記カム面との間で噛み込んで回転することができない」
ことを特徴とする逆入力遮断クラッチとなっている。
【００１２】
前記環状溝の深さは、前記転動体の直径の６乃至２１％であることが好ましい。
【００１３】
前記転動体を保持するため、前記外輪の内側に、前記入力突出部が固着される入力円板部材と前記出力突出部が固着される出力円板部材とを設け、かつ、前記入力円板部材と前記出力円板部材とは軸方向に対向して位置するようにして、前記転動体を挟持することができる。
【００１４】
前記入力軸の中心軸と前記出力軸の中心軸との「ずれ」を防止するため、前記入力軸及び前記出力軸に、軸方向に延びる同一円形断面の中央穴を形成し、それぞれの前記中央穴に共通の芯部材を挿通することができる。
また、前記外輪の内側には潤滑剤を充填することができる。
【発明の効果】
【００１５】
本発明の逆入力遮断クラッチでは、入力軸に設けられた入力突出部と出力軸に設けられた出力突出部とが、組み合わされた状態で外輪の内部空間に置かれ、出力突出部の凹状のカム面と外輪の内周面との間には、球形状の転動体が設置されている。入力軸が回転したときは、図８の逆入力遮断クラッチと同じように、入力突出部の側面の押圧面が出力突出部と転動体とを同時に押圧しながら、出力軸を入力軸と一体的に回転させる。出力軸が回転したときは、出力突出部が回転方向に移動して、カム面に置かれた転動体が外輪の内周面に噛み込むため、出力軸がロック状態となって入力軸への回転伝達が阻止される。
こうした基本的な作動は、従来の逆入力遮断クラッチと変わりはないが、本発明の逆入力遮断クラッチにおいては、転動体の形状が球形状であって、外輪の内周面には、球形状の転動体が嵌り込んで周方向に移動可能な円弧状断面の環状溝が形成されている。
【００１６】
球形状の転動体は、円筒形状の転動体と比べると軸方向の長さが短いので、本発明の逆入力遮断クラッチは、転動体が円筒形状の逆入力遮断クラッチよりも軸方向の長さを縮小することができる。また、球形状の転動体が環状溝に入り込んで設置されるので、外輪の外径（半径）を環状溝の深さの分だけ縮小することができる。そのため、本発明の逆入力遮断クラッチの寸法は、円筒形状の転動体を用いる従来のものと比較すると、軸方向及び径方向とも小さくすることが可能となる。
そして、球形状の転動体と円弧状断面の環状溝とは、曲線の円弧に沿って接触する。環状溝を形成しないときに球形状の転動体が接触する１点での接触と比べれば、接触面積が大幅に増大することとなり、転動体と外輪の内周面との間に働く摩擦力が大きくなる。これにより、転動体には一定の拘束力が付与されるため、転動体の噛み込みとその解除が切り換る際に転動体が出力突出部と一体的に移動してしまう問題が解消され、例えば、出力軸側からの回転が確実に阻止される。
【００１７】
このように、本発明の逆入力遮断クラッチでは、軸方向及び径方向の寸法を小さくすることが可能となり、また、転動体に制動力を付与するばね部材を設置する必要はない。したがって、逆入力遮断クラッチの構造が小型でコンパクトなものとなり、その製造も容易となる。なお、ばね部材により制動力を加えたときには、入力軸から出力軸へ回転を伝達する際に、加えた制動力が負荷トルクとなって伝達損失が増加するけれども、本発明の逆入力遮断クラッチでは、この損失も避けることができる。
【００１８】
本発明の逆入力遮断クラッチの実施態様として、「外輪の内側に、入力突出部が固着される入力円板部材と出力突出部が固着される出力円板部材とを設け、かつ、入力円板部材と出力円板部材とは軸方向に対向して位置するようにして、転動体を挟持する」構成とした場合には、球形状の転動体が、入力円板部材と出力円板部材との間に保持されて軸方向に位置決めされ、転動体が環状溝から外れるのを防止できる。さらに、入力円板部材と出力円板部材との外周を外輪の内周面に近接させると、入力軸及び出力軸の中心軸が、外輪の中心軸と過大な芯ずれを起こす事態を防止できる。
【００１９】
本発明の逆入力遮断クラッチの別の実施態様として、「入力軸及び出力軸に、軸方向に延びる同一円形断面の中央穴を形成し、それぞれの中央穴に共通の芯部材を挿通する」構成とした場合には、入力軸から出力軸に回転が伝達されるときに、振動等に起因して両方の軸の中心軸が相対的に傾いたり、芯ずれを起こしたりする事態を防ぐことができる。
ここで、芯ずれを防止するための芯部材は、入力軸及び出力軸に設けた中央孔に挿通されている。転がりベアリングのように、入力軸等の外方に設置されるものではないので、芯部材の追加により、逆入力遮断クラッチの外径等の寸法が増大してコンパクト性を損ねることはない。
【図面の簡単な説明】
【００２０】
【図１】本発明の逆入力遮断クラッチの実施例を示す図である。
【図２】図１に示す逆入力遮断クラッチを分解して示す斜視図である。
【図３】図１に示す逆入力遮断クラッチの外輪を単体で示す図である。
【図４】図１に示す逆入力遮断クラッチの入力軸を単体で示す図である。
【図５】図１に示す逆入力遮断クラッチの出力軸を単体で示す図である。
【図６】図１に示す逆入力遮断クラッチの入力軸を反時計方向に回転させた状態を示            す図である。
【図７】図１に示す逆入力遮断クラッチの出力軸を反時計方向に回転させようとした            状態を示す図である。
【図８】転動体を用いた従来の逆入力遮断クラッチの一例を示す図である。
【図９】図８に示す従来の逆入力遮断クラッチの作動を示す図である。
【発明を実施するための形態】
【００２１】
以下、図面に基づき、本発明の逆入力遮断クラッチについて説明する。まず、本発明の逆入力遮断クラッチの全体的な構造を図１及び図２に示し、次いで、図１の逆入力遮断クラッチの主要構成部品の単体図を図３乃至図５に、図１の逆入力遮断クラッチの作動の説明図を図６及び図７に夫々示す。
【００２２】
図１及び図２を参照して説明すると、本実施例の逆入力遮断クラッチは、固定された外輪（ハウジング）２の内側に、共通の回転軸ｏを有する入力軸４及び出力軸６を配置し、さらに、入力軸４及び出力軸６の間に球形状の転動体７を配置した構造であり、図示は省略するが、入力軸４はモーター等の駆動側に接続され、出力軸６は昇降装置等の従動側に接続される。
【００２３】
図１、図２と共に図３を参照して説明すると、外輪２は全体的に円筒形状であって、軸方向両側端部の内周面には環状のシール溝８が形成されている。シール溝８には薄板金属からなるシール部材２Ｓが嵌め込んであり、シール部材２Ｓは、転動体７等が配置された外輪２の内部空間を封鎖している。
外輪２の内周面９の軸方向中央部には、円弧状断面の環状溝１０が形成されている。環状溝１０は、球形状の転動体７が嵌り込んでこれに沿って移動するよう設けられたもので、環状溝１０と転動体７の詳細については後述する。
【００２４】
図１、図２と共に図４を参照して説明すると、入力軸４は、軸状の入力軸部材１２と、その先端に固着された円板状の入力円板部材１４とを有しており、中心軸上には、入力円板部材１４から入力軸部材１２の一部に亘って設けられた断面円形の入力軸孔１８（中央穴）が形成されている。入力軸部材１２における、入力円板部材１４が固着された側とは反対側の軸方向端部には、図示しないモーター等の駆動側と連結するための切欠き１８が形成されている。
入力円板部材１４には、軸方向に延びる入力突出部２０が設けられる。入力突出部２０の断面は扇形状であって、その外周縁が入力円板部材１４の外周縁と対応しているとともに、周方向の両側は、入力軸からの回転伝達時において、後述する出力突出部及び転動体７を押圧しながら回転させる押圧面２２ａ、２２ｂとなっている。この実施例では、５個の入力突出部２０が周方向に等間隔に配置される。
【００２５】
図１、図２と共に図５を参照して説明すると、出力軸６は、軸状の出力軸部材３０と、その先端に固着された円板状の出力円板部材３２とを有しており、中心軸上には、出力円板部材３２と出力軸部材３０の一部に亘って設けられた断面円形の出力軸孔３４（中央穴）が形成されている。出力軸部材３０における、出力円板部材３２が固着された側とは反対側の軸方向端部には、図示しない昇降装置等の従動側の機器と連結するための切欠き３６が形成されている。
出力円板部材３２には、中心から等角度間隔で放射状に延びる５個の出力突出部３８が設けられ、出力突出部３８は、入力円板部材１４の方向に向け軸方向に突き出している。出力突出部３８の周方向両側は、互いに平行な壁面（側面４２ａ、４２ｂ）となっていて、出力突出部３８の先端（径方向外方）にはカム面４４が形成される。カム面４４は、軸方向から見て凹状をなしており、周方向の中央から左右に向けて対称的に径が増大する斜面を備えている。
【００２６】
図１に示すように、本実施例の逆入力遮断クラッチでは、外輪２の内側に、入力軸４の入力円板部材１４と出力軸６の出力円板部材３２とが軸方向に対向して配置され、その間に、球状の転動体７が設置される。入力軸４と出力軸６とは、図８に示す従来の逆入力遮断クラッチと同様に、入力円板部材１４に形成した入力突出部２０が、出力円板部材３２に形成した出力突出部３８の間に入り込むように組み合わされており、転動体７は、径方向においては、出力突出部３８のカム面４４と外輪２の内周面９との間に位置している。外輪２の内部空間には潤滑剤が充填されると共に、外輪２の軸方向両側端部のシール溝８に環状のシール部材２Ｓを嵌入して、外輪２の内部空間を閉鎖する。
【００２７】
ここで、図１に示す本発明の逆入力遮断クラッチにおいては、外輪２の内周面９には円弧状断面の環状溝１０が形成され、球形状の転動体７は、環状溝１０に嵌り込んでいる。また、図１の実施例のものでは、転動体７は、入力円板部材１４と出力円板部材３２との間に挟持され、かつ、入力軸孔１８と出力軸孔３４（中央孔）には、回転軸ｏと共通の軸を有する断面円形で棒状の芯部材４６が挿通される。以下では、本発明の逆入力遮断クラッチの作動とともに、作用効果等について説明する。
【００２８】
図６は、図１の逆入力遮断クラッチにおいて、入力軸４が駆動源のモーターにより（図の左方向から見て）反時計方向に回転したときの状態を示す図である。入力軸４が反時計方向に回転すると、入力軸４に設けられた入力突出部２０が同一方向に回転し、その押圧面２２ｂが、出力突出部３８の側面４２ｂと共に転動体７と当接してこれらを押圧する（右図の太線部と黒丸部）。このときは、転動体７が、出力突出部３８のカム面４４のほぼ中央位置に保持されて外輪２の内周面と噛み込むことはなく、入力軸４の回転は出力軸６に伝達される。入力軸４の時計方向の回転についても同様である。
このように、本発明の逆入力遮断クラッチの基本的な作動は、図９に示す従来のものと変わりはない。しかし、本発明の逆入力遮断クラッチでは、外輪２の内周面に環状溝１０が形成され、球形状の転動体７は、これに嵌り込んでいる。
そのため、本発明の逆入力遮断クラッチにおいては、図８のものと比べ、球形状の転動体７が外輪２の外周面に近接して配置されることとなる。つまり、外輪２の外周寸法を、その分縮小することが可能であり、また、球形状の転動体の軸方向寸法は、円筒形の転動体（ローラー）よりも短いので、軸方向の寸法も短縮できる。
【００２９】
そして、図１の実施例の逆入力遮断クラッチでは、球形状の転動体７は、入力円板部材１４と出力円板部材３２との間に保持されて軸方向に位置決めされる。そのため、転動体７が球形状であっても、環状溝１０から外れるのを防止できる。入力円板部材１４と出力円板部材３２とは、その外周が外輪２の内周面９に近接するように設置されるので、入力軸４から出力軸６に回転伝達が行われる際に、両方の軸の中心軸が、外輪２の中心軸と過大な芯ずれを起こす事態も防止できる。
【００３０】
図１の実施例の逆入力遮断クラッチでは、入力軸４及び出力軸６に、軸方向に延びる同一円形断面の入力軸孔１８と出力軸孔３４（中央孔）とを形成し、それぞれの中央穴に共通の芯部材４６を挿通している。このような芯部材４６を設けているので、入力軸４及び出力軸６の回転により振動等が発生したとしても、入力軸４と出力軸６との中心軸が相対的に傾いたり、芯ずれを起こしたりする事態を防ぐことができる。また、芯部材４６は、入力軸４及び出力軸６の中心部に設けた中央孔に挿通されているから、これを設けるための特別なスペースは必要なく、逆入力遮断クラッチも寸法の増加を来すことはない。
【００３１】
図７には、図１の逆入力遮断クラッチにおいて、出力軸６側からの回転トルクにより、出力軸６と出力突出部３８とが（図の左方向から見て）反時計方向にわずかに移動した状態を示す。このときは、従来の逆入力遮断クラッチの作動を示す図９（ｃ）と同様に、転動体７が出力突出部３８のカム面４４の右側斜面により押し上げられ、外輪２の内周面９に形成された環状溝１０と強く当接して噛み込みを生じる。そのため、出力軸６はロック状態となってその回転が阻止され、これは、出力軸６の時計回りの回転でも同様である。しかし、前述したとおり、何らかの原因で転動体７が出力突出部３８のカム面４４の中央に止まったまま、転動体７が出力突出部３８と一体的に移動すると、出力軸６のロック状態が起こらない。
【００３２】
本発明の逆入力遮断クラッチでは、外輪２の内周面に断面円弧状の環状溝１０が形成してあり、球形状の転動体７はこの環状溝１０に嵌り込んでいる。これにより、図１の拡大図に示すとおり、球形状の転動体７が、円弧状の曲線部Ｃの全体で環状溝１０の接触することとなり、環状溝１０を設けない外輪２の内周面９に接触する場合（理論上は１点で接触）に比較して、大幅に接触面積が拡大する。
その結果、転動体７と外輪２の内周面９との間に働く摩擦力あるいは粘着力が大きくなって、転動体７には、それが出力突出部３８と一体的に移動しないよう一定の拘束力が付与される。転動体７の噛み込みと解除の作用が確実に行われるので、本発明の逆入力遮断クラッチでは、出力軸側からの回転が確実にロックされる。なお、転動体７に十分な拘束力を付与するため、環状溝１０の深さＤは、転動体７の直径の６〜２１％であるのが好ましく、図１のものでは、約１２％に設定されている。
【００３３】
以上詳述したように、本発明の逆入力遮断クラッチは、出力軸をロックするための転動体として球形（ボール）状の転動体を用いると共に、これに対向する外輪の内周面には転動体が嵌り込む凹状の環状溝を形成して、逆入力遮断クラッチの全体を小型とし、かつ、安定した作動が可能となるようにしたものである。上記の実施例では、入力軸と出力軸に中央孔を形成し、それぞれの中央穴に芯部材を挿通して芯ぶれ等を防止しているが、一方の軸に円形の突出部を設け、これを他方の軸の中央孔に挿入することもできる。また、外輪の内部空間の潤滑剤をシールするためシール部材を設置するなど、上記の実施例に各種の変更を加えることができるのは明らかである。
【符号の説明】
【００３４】
２：外輪
４：入力軸
６：出力軸
７：転動体
１０：環状溝
２０：入力突出部
２２：押圧面
３８：出力突出部
４４：カム面
４６：芯部材
【図１】
2019065943.tif 000003
【図２】
2019065943.tif 000004
【図３】
2019065943.tif 000005
【図４】
2019065943.tif 000006
【図５】
2019065943.tif 000007
【図６】
2019065943.tif 000008
【図７】
2019065943.tif 000009
【図８】
2019065943.tif 000010
【図９】
2019065943.tif 000011
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
固定された筒状の外輪と、前記外輪内で共通の回転軸を中心として回転可能な入力軸及び出力軸を備え、前記入力軸からの正・逆方向の回転は前記出力軸に伝達されると共に、前記出力軸からの前記入力軸への回転の伝達は、前記出力軸を回転不能として遮断される逆入力遮断クラッチであって、
前記外輪の内側には、前記入力軸に設けられた入力突出部と、前記出力軸に設けられた出力突出部とが配置され、前記入力突出部の周方向両側には押圧面が形成されると共に、前記出力突出部には前記外輪の内周面と対向する凹状のカム面が形成され、前記カム面は、周方向の中央から左右に向けて対称的に径が増大する斜面を備えており、さらに、
前記カム面と前記外輪の内周面との間には、単一の球形状の転動体が設置されると共に、前記外輪の内周面には、前記転動体が嵌り込んで周方向に移動可能な円弧状断面の環状溝が形成され、前記環状溝の深さは前記転動体の直径の６乃至２１％に設定されており、
前記入力軸が回転すると、前記押圧面の一方が前記出力突出部と共に前記転動体を押圧して前記出力軸を回転させる一方、前記出力軸が回転しようとしても、前記転動体が前記外輪の内周面と前記カム面との間で噛み込んで回転することができない、ことを特徴とする逆入力遮断クラッチ。
【請求項２】
前記外輪の内側には、前記入力突出部が固着される入力円板部材と前記出力突出部が固着される出力円板部材とが設けられ、かつ、前記入力円板部材と前記出力円板部材とは軸方向に対向して位置し、前記転動体を挟持している、請求項１に記載の逆入力遮断クラッチ。
【請求項３】
前記入力軸及び前記出力軸には、軸方向に延びる同一円形断面の中央穴が形成され、それぞれの前記中央穴には、共通の芯部材が挿通されている、請求項１又は２に記載の逆入力遮断クラッチ。
【請求項４】
前記外輪の内側には潤滑剤が充填される、請求項１乃至３のいずれかに記載の逆入力遮断クラッチ。
【手続補正２】
【補正対象書類名】明細書
【補正対象項目名】００１１
【補正方法】変更
【補正の内容】
【００１１】
上述の課題に鑑み、本発明は、逆入力遮断クラッチの転動体として球形状の転動体を用い、これに対向する外輪の内周面には転動体が嵌り込む凹状の環状溝を形成し、逆入力遮断クラッチを小型化しても安定した作動が可能となるようにしたものである。すなわち、本発明は、
「固定された筒状の外輪と、前記外輪内で共通の回転軸を中心として回転可能な入力軸及び出力軸を備え、前記入力軸からの正・逆方向の回転は前記出力軸に伝達されると共に、前記出力軸からの前記入力軸への回転の伝達は、前記出力軸を回転不能として遮断される逆入力遮断クラッチであって、
前記外輪の内側には、前記入力軸に設けられた入力突出部と、前記出力軸に設けられた出力突出部とが配置され、前記入力突出部の周方向両側には押圧面が形成されると共に、前記出力突出部には前記外輪の内周面と対向する凹状のカム面が形成され、前記カム面は、周方向の中央から左右に向けて対称的に径が増大する斜面を備えており、さらに、
前記カム面と前記外輪の内周面との間には、単一の球形状の転動体が設置されると共に、前記外輪の内周面には、前記転動体が嵌り込んで周方向に移動可能な円弧状断面の環状溝が形成され、前記環状溝の深さは前記転動体の直径の６乃至２１％に設定されており、
前記入力軸が回転すると、前記押圧面の一方が前記出力突出部と共に前記転動体を押圧して前記出力軸を回転させる一方、前記出力軸が回転しようとしても、前記転動体が前記外輪の内周面と前記カム面との間で噛み込んで回転することができない」
ことを特徴とする逆入力遮断クラッチとなっている。
【手続補正３】
【補正対象書類名】明細書
【補正対象項目名】００１２
【補正方法】削除
【補正の内容】
【手続補正４】
【補正対象書類名】明細書
【補正対象項目名】００２６
【補正方法】変更
【補正の内容】
【００２６】
図１に示すように、本実施例の逆入力遮断クラッチでは、外輪２の内側に、入力軸４の入力円板部材１４と出力軸６の出力円板部材３２とが軸方向に対向して配置され、その間に、単一の球状の転動体７が設置される。入力軸４と出力軸６とは、図８に示す従来の逆入力遮断クラッチと同様に、入力円板部材１４に形成した入力突出部２０が、出力円板部材３２に形成した出力突出部３８の間に入り込むように組み合わされており、転動体７は、径方向においては、出力突出部３８のカム面４４と外輪２の内周面９との間に位置している。外輪２の内部空間には潤滑剤が充填されると共に、外輪２の軸方向両側端部のシール溝８に環状のシール部材２Ｓを嵌入して、外輪２の内部空間を閉鎖する。